(57)【要約】      （修正有）【課題】背面板の総面積は表面板の総面積の２０％〜８０％の構造にして、取り付け部が背面部からつながる構造にすることにより、商品表示板として表示用紙の挿入と取り出し作業が簡単であり、また取り付け部が一体構造であるので、商品陳列棚に取り付けたときロットブレなくバランスが良い。さらに表面板が透明であるので表示用紙が引き立ち意匠性が高い、商品表示板を提供する。【解決手段】透明な表面板２、Ｕ字型部３、背面板４、取り付け部５が一体となっている熱可塑性樹脂製の商品表示板１であって、表面板から背面板をつなぐＵ字型部の間隙は０．２ｍｍ〜５ｍｍであり、表示用紙挿入口６の表面板と背面板の間隙は０〜２ｍｍであり、背面板は少なくとも２個以上の板状であり、背面板の総面積は表面板の総面積の２０％〜８０％であり、背面板からつながる取り付け部は該背面板の長手方向の両端の２箇所以上設けた商品表示板。【選択図】図１
0003108924.tif 000002
【実用新案登録請求の範囲】
【請求項１】
透明な表面板、Ｕ字型部、背面板、取り付け部が一体となっている熱可塑性樹脂製の商品表示板であって、表面板から背面板をつなぐＵ字型部の間隙は０．２ｍｍ〜５ｍｍであり、表示用紙挿入口の表面板と背面板の間隙は０〜２ｍｍであり、背面板は少なくとも２個以上の板状であり、背面板の総面積は表面板の総面積の２０％〜８０％であり、背面板からつながる取り付け部は該背面板の長手方向の両端の２箇所以上設けたことを特徴とする商品表示板。
【考案の詳細な説明】
【技術分野】
【０００１】  本考案は、スーパーマーケット等で商品陳列棚に取り付けて、商品名、価格等を表示す  る商品表示板に関する。
【背景技術】
【０００２】この種の商品表示板は従来から使用されている。
特許文献１は、棒状部材の外径よりも小さい開口部を有しかつ同棒状部材の外周側面から弾性的に拡開されて嵌込まれることで同棒状部材をクランプする構造で、長さ寸法が種々異なる表示プレートを容易にかつ安価に構成することができ、しかも棒状部材に対する長手方向の位置ずれや回動ずれを防止する。発明が記載されている。
特許文献２は、１枚の固定表示ボードと１枚の抜き差し表示ボードを、上下左右の枠体の内側周面に形成された２条の横溝または縦溝で支持する両面表示具であって
固定表示ボードまたは抜き差し表示ボードを安定して設置できる両面表示具を提供することを目的とした発明が記載されている。
また、図２に示すとおり、塩ビの透明板を曲げ加工し表面板、Ｕ字型部、背面板を作製し、背面板の長手方向の両端に一組の取り付け部を設けた構造の商品表示板は流通している。【０００３】上記のような商品表示板は、それぞれ下記のような欠点があり、解決が望まれていた。
特許文献１は、表示プレートに表示シートを貼り付ける構造であり、本願考案の表示用紙を挿入する構造ではないので、商品を表示する意匠性の高い商品表示板には使用不向きである。
特許文献２は上下左右の枠体の中に表示ボードを差し込む構造であり、表示ボードの前面に透明な表面板がないので、商品を表示する意匠性の高い商品表示板には使用不向きである。
また、図２の商品表示板は、表面板の総面積と背面板の総面積が同じであるので、表示用紙を表示用紙挿入口から挿入し難く、取り出すときはさらに取り出し難くい。また、取り付け部は後加工により作製される。この後加工で、一組の取り付け部を正確に取り付けなければ、商品陳列棚に取り付けたときバランスが悪くなる。【０００４】
【特許文献１】        特開平９−２１２０９７号公報
【特許文献２】        特開２００３−１５００６４号公報
【考案の開示】
【考案が解決しようとする課題】
【０００５】
【０００６】  本考案は、以上のような従来の技術的課題を解決するものであり、背面板の総面積は表面板の総面積の２０％〜８０％の構造にして、取り付け部が背面部からつながる構造にすることにより、商品表示板として表示用紙の挿入と取り出し作業が簡単であり、また取り付け部が一体構造であるので、商品陳列棚に取り付けたときロットブレなくバランスが良い、さらに表面板が透明であるので表示用紙が引き立ち意匠性が高い、商品表示板を提供することを目的とする。
【課題を解決するための手段】
【０００７】  本考案は、透明な表面板、Ｕ字型部、背面板、取り付け部が一体となっている熱可塑性樹脂製の商品表示板であって、表面板から背面板をつなぐＵ字型部の間隙は０．２ｍｍ〜５ｍｍであり、表示用紙挿入口の表面板と背面板の間隙は０〜２ｍｍであり、背面板は少なくとも２個以上の板状であり、背面板の総面積は表面板の総面積の２０％〜８０％であり、背面板からつながる取り付け部は該背面板の長手方向の両端の２箇所以上設けたことを特徴とする商品表示板に関する。
【考案の効果】
【０００８】  本考案の商品表示板によれば、商品表示板として使用するとき、表示用紙の挿入と取り出し作業が簡単である。取り付け部は一体構造であるので商品陳列棚に取り付けたとき位置が狂わずロットブレなくバランスが良い。さらに、表面板が透明であるので表示用紙が引き立ち、意匠性の良い商品表示板となる。
【考案を実施するための最良の形態】
【０００９】（ａ）表面板
本願考案の表面板は、透明な熱可塑性樹脂を用い厚さ０．８ｍｍ〜５ｍｍの肉厚の形状のものが成形性、作業性の点から優れている。
表面に意匠性を高めるためシボをかけたり、印刷をしても良い。【００１０】（ｂ）Ｕ字型部
本願考案のＵ字型部は、表面板と背面板がつながっているところで、表面板と背面板の間隙が、０．２ｍｍ〜５ｍｍの形状のものが成形性、作業性の点から優れている。
また、表面板と背面板の表示用紙挿入口の間隙は、０〜２ｍｍの形状のものが成形性、作業性の点から優れている。【００１１】（ｃ）背面板
本願考案の背面板は少なくとも２個以上の板状であり、クシ歯のようにバランス良く削除した構造であり、背面板の総面積は表面板の総面積の２０％〜８０％である。２０％より小であると表示用紙が抜け易く、８０％より大であると表示用紙の出し入れがし難くなる。また、削除する箇所は背面板だけでなく、Ｕ字型部から削除しても商品として問題なく使用可能である。【００１２】（ｄ）取り付け部
背面板からつながる取り付け部は、該背面板の長手方向の両端の２箇所以上に、引っ掛けて取り付けることが可能なように、背面板から延長した部分を曲げた構造とする。【００１３】本考案で作製する各部の肉厚は０．８ｍｍ〜５ｍｍの肉厚の形状のものが成形性、作業性の点から優れている。【００１４】本願考案の商品表示板の製造は、熱可塑性樹脂の平板を折り曲げ加工して不必要な箇所は削除しても製造可能である。また、金型を作製して射出成形機で製造することも可能である。射出成形機で作製する方が、後加工が無く比較的肉厚の大きいもの、さらに肉厚に変化を付けることもでき、意匠性のよい商品表示板が製造できる。【００１５】（ｅ）熱叫塑性樹脂
熱可塑性樹脂は、いかなるものでもよいが、例えば、ポリ塩化ビニル、ポリスチレンやアクリロニトリル−ブタジエン−スチレン共重合体（ＡＢＳ樹脂）などのポリスチレン系樹脂、アクリレート／メタクリレート系樹脂などの、ビニルモノマー重合体または共重合体；低密度ポリエチレン、中密度ポリエチレン、高密度ポリエチレン、ポリプロピレン、ポリブテン−１、ポリ４−メチルペンテン−１などの、ポリα−オレフィン；プロピレン−エチレンブロック共重合体、プロピレン−エチレンランダム共重合体などの、α−オレフィンどうし、またはα−オレフィンと他のモノマーとの共重合体；その他のポリオレフィン系樹脂；ナイロン６、ナイロン６６、ナイロン１２などのポリアミド；ポリエチレンテレフタレート、ポリブチレンテレフタレートなどの芳香族系ポリエステルおよび脂肪族系ポリエステル；液晶ポリエステル；ポリフェニレンオキシドなどの芳香族ポリエーテル；ポリアセタール系樹脂、ポリカーボネート系樹脂；ポリイミド、ポリスルホン、ポリエーテルスルホンなどのスルホン系ポリマーなどが挙げられる。
【実施例】
【００１６】  以下、本願考案の実施例を説明するが、本考案はこれらの実施例により限定されるものではない。
【実施例１】
【００１７】表面板、Ｕ字型部、背面板、取り付け部が一体構造となっている商品表示板の金型を作製するにあたり、表面板から背面板をつなぐＵ字型部の間隙は１．５ｍｍ、表示用紙挿入口の表面板と背面板の間隙は０（表面板と背面板は接触している構造）とし、背面板は長手方向の両端に２枚、該中央に１枚の計３枚の板状を設け、背面板の総面積は表面板の総面積の５０％であり、背面板からつながる取り付け部は該背面板の長手方向の両端に２枚設ける構造の金型を作製した。これを射出成形機で成形して商品表示板を作製した。
表示用紙挿入口の表面板と背面板の間隙を０（表面板と背面板は接触している構造）としたことは、熱可塑性樹脂の特徴を生かし、表示用紙を無理やり挿入し、表示用紙をセットしたとき圧力で保持させるためである。【００１８】該商品表示板の作製に関し、成形品本体の成形条件は透明なポリスチレン樹脂、電気化学工業社製、ＭＷ１を使用し、型締め圧１００ｔの射出成形機、東芝機械社製、Ｆ−ＩＩＩを用いて成形温度２００℃で一括成形した。
【比較例１】
【００１９】市販されている商品表示板であって、実施例１に相当する表面板、Ｕ字型部、背面板は透明塩ビの曲げ加工で作製されている。これに背面板の長手方向の両端に、・組の取り付け部が接着剤で接着してある。
【００２０】
【表１】
0003108924.tif 000003
【００２１】本願考案の実施例１と市販品の比較例１の試験結果を表に記すと上表のとおりである。表示用紙を挿入するとき、取り出すときの作業性、および商品陳列棚に取り付けたときのバランスが差になって表われた。
表示用紙の挿入と取り出しの作業性は、実施例１に関し、背面板の削除してあるところが、表示用紙と直接指に接触することにより作業性が良くなる。
商品陳列棚に取り付けた結果は実施例１に関し、本体の表面板、Ｕ字型部、背面板と取り付け部が一体に成形されているのでロット間にブレが無く商品陳列棚と並行に取り付けられる。
比較例１に関しては一組の取り付け部を接着剤で本体に接着するのでロット間にブレが生じ、比較例１は若干右側が上がっている結果を得た。
【産業上の利用可能性】
【００２２】  本考案の商品表示板は、商品表示板として使用するとき、表示用紙の挿入と取り出し作業が簡単である。取り付けもバランス良く取り付けられる。さらに、表面板が透明であるので表示用紙が引き立ち意匠性が良いので、百貨店、スーパーマーケット、商店の商品陳列棚に商品の表示板として、また、広告文、価格の表示板として、また、店内の誘導表示板として使用可能である。
【図面の簡単な説明】
【００２３】
【図１】図１は本考案商品表示板の１態様の説明図である。
【図２】図２は商品表示板の比較例１の説明図である。
【符号の説明】
【００２６】１．商品表示板
２．表面板
３．Ｕ字型部
４．背面板
５．取り付け部
６．表示用紙挿入口
【図１】
0003108924.tif 000004
【図２】
0003108924.tif 000005